【手続補正書】
【提出日】平成17年6月17日(2005.6.17)
【手続補正１】
【補正対象書類名】明細書
【補正対象項目名】発明の名称
【補正方法】変更
【補正の内容】
【発明の名称】撮像装置および撮像装置の制御方法
【手続補正２】
【補正対象書類名】明細書
【補正対象項目名】特許請求の範囲
【補正方法】変更
【補正の内容】
【特許請求の範囲】
【請求項１】
第１の走査方式および第２の走査方式にて画像信号を読み出すことが可能な画像信号走査手段と、
上記第１の走査方式または上記第２の走査方式のいずれかを選択する選択手段と、
上記選択手段により選択された走査方式にて上記画像信号走査手段に画像信号の読み出しを行わせるとともに、被写体に発光を行う発光手段の発光方法を当該走査方式に応じて変更させる制御手段とを有することを特徴とする撮像装置。
【請求項２】
上記選択手段により選択された走査方式に応じて、上記発光手段の発光回数を変えることを特徴とする請求項１に記載の撮像装置。
【請求項３】
上記第１の走査方式にて画像信号走査を行う際に、１フレームにつき上記発光手段により１回発光を行うことを特徴とする請求項１に記載の撮像装置。
【請求項４】
上記第２の走査方式にて画像信号走査を行う際に、１フィールドにつき上記発光手段により１回発光を行うことを特徴とする請求項１に記載の撮像装置。
【請求項５】
被写体および画像を表示するための表示手段を有し、上記表示手段は、選択されている走査方式が第１の走査方式又は第２の走査方式のうちのどちらであるかを表示することを特徴とする請求項１に記載の撮像装置。
【請求項６】
第１の走査方式および第２の走査方式にて画像信号を読み出すことが可能な画像信号走査手段を有する撮像装置の制御方法であって、
上記第１の走査方式または上記第２の走査方式のいずれかを選択する選択工程と、
上記選択工程で選択された走査方式にて上記画像信号走査手段に画像信号の読み出しを行わせるとともに、被写体に発光手段により発光を行う発光工程の発光方法を当該走査方式に応じて変更させる制御工程とを有することを特徴とする撮像装置の制御方法。
【請求項７】
上記選択工程で選択された走査方式に応じて、上記発光工程での発光回数を変えることを特徴とする請求項６に記載の撮像装置の制御方法。
【請求項８】
上記第１の走査方式にて画像信号走査を行う際に、上記発光工程では１フレームにつき上記発光手段により１回発光を行うことを特徴とする請求項６に記載の撮像装置の制御方法。
【請求項９】
上記第２の走査方式にて画像信号走査を行う際に、上記発光工程では１フィールドにつき上記発光手段により１回発光を行うことを特徴とする請求項６に記載の撮像装置の制御方法。
【請求項１０】
被写体および画像を表示するための表示手段に、選択されている走査方式が第１の走査方式又は第２の走査方式のうちのどちらであるかを表示する表示工程を有することを特徴とする請求項６に記載の撮像装置の制御方法。
【手続補正３】
【補正対象書類名】明細書
【補正対象項目名】０００１
【補正方法】変更
【補正の内容】
【０００１】
【発明の属する技術分野】
本発明は、ビデオカメラ等の撮像装置及びこの撮像装置の制御方法に関し、特にビデオカメラが備えるスピードライトの発光の制御に関するものである。
【手続補正４】
【補正対象書類名】明細書
【補正対象項目名】０００５
【補正方法】変更
【補正の内容】
【０００５】
本発明は上記の問題を解決するもので、飛び越し走査方式による画像にスピードライトの照明効果を安定させることを目的とする。
【手続補正５】
【補正対象書類名】明細書
【補正対象項目名】０００６
【補正方法】変更
【補正の内容】
【０００６】
【課題を解決するための手段】
本発明の撮像装置は、第１の走査方式および第２の走査方式にて画像信号を読み出すことが可能な画像信号走査手段と、上記第１の走査方式または上記第２の走査方式のいずれかを選択する選択手段と、上記選択手段により選択された走査方式にて上記画像信号走査手段に画像信号の読み出しを行わせるとともに、被写体に発光を行う発光手段の発光方法を当該走査方式に応じて変更させる制御手段とを有することを特徴とする。
【手続補正６】
【補正対象書類名】明細書
【補正対象項目名】０００７
【補正方法】変更
【補正の内容】
【０００７】
また、本発明の撮像装置の制御方法は、第１の走査方式および第２の走査方式にて画像信号を読み出すことが可能な画像信号走査手段を有する撮像装置の制御方法であって、上記第１の走査方式または上記第２の走査方式のいずれかを選択する選択工程と、上記選択工程で選択された走査方式にて上記画像信号走査手段に画像信号の読み出しを行わせるとともに、被写体に発光手段により発光を行う発光工程の発光方法を当該走査方式に応じて変更させる制御工程とを有することを特徴とする。
【手続補正７】
【補正対象書類名】明細書
【補正対象項目名】０００８
【補正方法】削除
【補正の内容】
【手続補正８】
【補正対象書類名】明細書
【補正対象項目名】００１８
【補正方法】変更
【補正の内容】
【００１８】
以上のようにして本実施の形態では、１フレーム分の画像を線順次走査で撮影するモードと飛越し走査で撮影するモードとが切り替え可能なビデオカメラシステムにおいて、各走査方式の切り替えに応じて調光用スピードライトの発光方式を切り替えることにより、いずれの走査方式で取り込んだ１フレームのスチル画像に対しても、スピードライトの照明効果を安定させることができる。
【手続補正９】
【補正対象書類名】明細書
【補正対象項目名】００３９
【補正方法】変更
【補正の内容】
【００３９】
これをＩＥＥＥ１３９４信号入出力２１９、ＩＥＥＥ１３９４ディジタルインターフェース２１７を通じて受信したカメラモードマイコン２０５は、スピードライト制御回路２１０にスピードライト２１１が発光できるように充電動作を制御する。このとき、コンピュータ３０２より発信されたステータスコマンド（表２「ＶＩＤＥＯ  ＬＩＧＨＴ／ＳＴＲＯＢＥ」２０００５）に対するカメラモードマイコン２０５からのレスポンス信号により、コンピュータのモニタ上には、線順次走査による撮影方式のときは図７（ａ）の５１８、飛越走査による撮影方式のときは図７（ｂ）の５１９のように表示される。
【手続補正１０】
【補正対象書類名】明細書
【補正対象項目名】００４２
【補正方法】変更
【補正の内容】
【００４２】
以上のように本実施の形態では、１フレーム分の画像を線順次走査で撮影するモードと飛越し走査で撮影するモードとを備えるビデオカメラシステムにおいて、各走査方式の切り替え状態を記録保持しているレジスタを参照し、それに応じてそれぞれの走査方式で撮影するときに同調させる調光用スピードライトの発光方式を切り替えることにより、いずれの走査方式で取り込んだ１フレームのスチル画像に対しても、スピードライトの発光効果を安定させることができる。
特に、線順次走査方式のときは１フレームに１回発光させ、飛び越し走査方式のときは１フィールドで１回ずつ発光させることにより、従来のように飛び越し走査方式のときに、発光しているフィールドの画像と発光していないフィールドの画像とが１フレーム内に混在して画像が乱れることをなくすことができる。
また、コンピュータ等の外部機器を接続して信号を送受信することにより、撮像方式の選択、制御や発光手段の使用の指示等を外部機器から行うようにすることができる。
【手続補正１１】
【補正対象書類名】明細書
【補正対象項目名】００４８
【補正方法】削除
【補正の内容】
【手続補正１２】
【補正対象書類名】明細書
【補正対象項目名】００４９
【補正方法】削除
【補正の内容】